(57)【要約】【課題】食品工場内で用いても安全であり、名札の吊り下げ部が局所的に崩壊してしまった場合でも、その回収が確実かつ容易な吊り下げ用名札の提供を目的とする。【解決手段】本考案の吊り下げ用名札は、ウレタンゴム製の紐体と、該紐状体に接続され、名札、身分証等を表示する名札部とからなる首から吊り下げられる、吊り下げ用名札であって、前記紐状体に、黒色酸化鉄粉が均一に混入されてなることを特徴とする。【選択図】図１
0003146557.tif 000002
【実用新案登録請求の範囲】
【請求項１】
ウレタンゴム製の紐状体と、
該紐状体に接続され、名札、身分証等を表示する名札部とからなる
首から吊り下げられる、吊り下げ用名札であって、
前記紐状体に、黒色酸化鉄粉が均一に混入されてなる吊り下げ用名札。
【請求項２】
前記黒色酸化鉄粉の、ウレタンゴムに対する配合率が、２０〜５０重量％である請求項１記載の吊り下げ用名札。
【請求項３】
前記黒色酸化鉄粉の粒径が、０．１〜０．３μｍである請求項１または２記載の吊り下げ用名札。
【考案の詳細な説明】
【技術分野】
【０００１】
本考案は、吊り下げ用名札に関する。
【背景技術】
【０００２】
従来、吊り下げ用名札として、ナイロンやポリエステル製の紐状の部分に名札部が連結された、首から吊り下げる名札が使用されてきた。しかしながら、食品工場などの、食品への異物混入が許されない場所や、衛生面でのケアが重要な場所においては、吊り下げ用名札にナイロンやポリエステルの紐を用いると、ナイロンやポリエステルの繊維の間に雑菌等が侵入し、食品工場で用いるのにはふさわしくない。
【０００３】
そこで、食品工場等の衛生面が重要な場所では、首から吊り下げるナイロンやポリエステルからなる吊り下げ部のかわりに、ウレタンゴムからなる丸ベルトを用いている。丸ベルトを用いることにより、首からの吊り下げ部の表面に雑菌を付きにくくし、これにより、雑菌の侵入を防ぎ、食品工場内での衛生面に対応している。
【０００４】
このようなウレタンゴムからなる丸ベルトを用いた名札は、繰り返し使用される状況において、乱暴な使用により丸ベルトに無理な力がかかったり、寿命が近づいてくると、破損してしまうおそれがある。丸ベルトの破損により生じた破片または磨耗により生じた丸ベルトの破砕粉は、生産ライン中の食品中に混入してしまうおそれがある。
【０００５】
一方、食品内への異物の混入が大きな問題となっている昨今、工場内では、仮に部品が一部なくなっただけでも、食品内への異物混入の可能性がある限りは、生産ラインをストップし、一日中、掃除や点検をしなければならない。また、掃除や点検をするために、生産ラインをストップし続けるわけにもいかず、異物混入の疑いが完全に晴れない状況で、生産ラインを再稼動せざるを得ない。異物が混入されて回収できずに出荷され、製品に異物が混入されていたことがわかった場合には、全製品を回収しなければならず、食品工場の異物混入に対するリスクを減らすことができる、食品の衛生上、安全性の高い名札を提供することが、食品業界の長年の未解決の課題であった。
【０００６】
このようなリスクを減らすために、丸ベルトの色を白などの目立つ色にして、製品への異物の混入を察知しやすくするという工夫がされているが、目立つ色にした場合であっても、結局工場内の従業員が、目視により異物を識別しなければならず、完全に探し出すことは不可能に近く、丸ベルトの破片が混入したこと自体に気付かない場合が多いので、リスクをそれほど減らすことができていないのが現状である。
【考案の開示】
【考案が解決しようとする課題】
【０００７】
上記課題および長年の間未解決の課題である異物混入の問題に対して、強力な磁石で、磁性体を回収するという考えもあるが、磁性体に錆びが発生しても問題があり、実用化には至っていない。
【０００８】
そこで、本考案者は、鋭意検討の結果、顔料として用いられている黒色酸化鉄粉を、食品工場内で用いられる名札の吊り下げ部用の丸ベルトに混入することにより、食品に一端混入されても、安全であり、かつ磁性体として黒色酸化鉄粉を丸ベルトに混入することにより、丸ベルトの破片の回収を確実かつ容易にするという、従来にはない発想で、長年未解決であった課題を解決することが可能な吊り下げ用名札を提供することを目的とする。
【課題を解決するための手段】
【０００９】
本考案の吊り下げ用名札は、ウレタンゴム製の紐状体と、該紐状体に接続され、名札、身分証等を表示する名札部とからなる首から吊り下げられる、吊り下げ用名札であって、前記紐状体に、黒色酸化鉄粉が均一に混入されてなることを特徴とする。
【００１０】
また、前記黒色酸化鉄粉の、ウレタンゴムに対する配合率が、２０〜５０重量％であることが好ましい。
【００１１】
また、前記黒色酸化鉄粉の粒径が、０．１〜０．３μｍであることが好ましい。
【考案の効果】
【００１２】
本考案によれば、ウレタンゴム製の紐状体に、黒色酸化鉄粉が混入されているので、食品内に万が一紐状体の破片が混入してしまった場合であっても、磁力により確実かつ容易に紐状体の破片を回収することができる。
【００１３】
また、確実に紐状体の破片を回収することができるので、人的労力を減らすことができ、工場内で破片の紛失によりラインをストップする必要がなくなり、ラインをストップするリスクを大幅に減らすことができ、工場経営者、食品会社の精神的な負担をも大幅に減らすことができる。
【考案を実施するための最良の形態】
【００１４】
以下、添付図面を参照しつつ本考案の吊り下げ用名札を詳細に説明する。
【００１５】
図１は本考案の吊り下げ用名札の一例を示す平面説明図であり、図２は、本考案の吊り下げ用名札の図１におけるＡ−Ａ線断面説明図である。図３および図４は、本考案の吊り下げ用名札の他の実施の形態を示す図である。
【００１６】
図１において、参照符号１は本考案の吊り下げ用名札を示しており、参照符号２は紐状体、参照符号３は、名札部、Ｃは連結具を示している。図２において、参照符号４は黒色酸化鉄粉を示す。
【００１７】
図１および図２を参照すると、本実施の形態にかかわる吊り下げ用名札１は、ウレタンゴム製の紐状体２と、該紐状体２に接続され、名札、身分証等を表示する名札部３とからなる。紐状体２には、黒色酸化鉄粉４（Ｆｅ3Ｏ4）が均一に混入されている。紐状体２は、円形断面を有し、紐状体２の直径は、１〜４ｍｍが好適であるが、首から下げるのに問題ない太さであれば、特に限定されることはない。また、紐状体２の長さも、首から下げるのに問題ない長さであれば、特に限定されることはない。紐状体２は、一体的に成形して、そのまま首から掛けることができるようにすることもできるし、公知の留め具を設け、当該留め具により、紐状体２とすることにより首にかけることも可能である。図３および図４においても紐状体２を黒色酸化鉄粉４（Ｆｅ3Ｏ4）が均一に混入されている紐状体２におきかえることにより、問題を解決することが出来る。ここで、本考案において、紐状体とは、ウレタンゴム製のテグス状体をいうものである。
【００１８】
そして、紐状体２は、機械的強度、耐磨耗性の観点から、ウレタンゴム製が好適に採用される。名札部３は、特に材質は限定されないが、熱可塑性樹脂フィルム（たとえばポリプロピレン）が好適に採用される。名札部３は、透明な熱可塑性樹脂フィルムを溶融・溶断することにより一体的に成形され、連結具Ｃを介して紐状体２と接続される。連結具としては、取り外し可能なクリップ状の部材とすることもできるし、図３および図４に示されるように紐状体２を挿通する孔を設けることにより連結してもよい。また、名札部３に収納される名札は、名札を入れた状態で透明な熱可塑性樹脂フィルムを溶融・溶断することにより名札と名札部３を一体的にすることもできるし、名札を取り外し可能に、名札の挿入口を設けてもよく、特にその態様は限られることはない。
【００１９】
黒色酸化鉄粉４のウレタンゴムに対する配合率としては、２０〜５０重量％が採用される。
【００２０】
また、黒色酸化鉄粉４の粒径としては、０．１〜１μｍの範囲のものが採用される。黒色酸化鉄粉を用いると、粒径が非常に小さいため、ゴムに混ぜやすいという利点と、酸化しているため耐酸性があり、さびにくいという利点があり、着磁性にすぐれ、磁力を受けやすいというさらなる利点がある。黒色酸化鉄粉は市販されているものを採用することができる。
【００２１】
上記構成の吊り下げ用名札を採用すると、食品工場内での名札の紐状体２の遺失や破損、磨耗等による生産ライン内へのウレタンゴムが混入した場合であっても、生産ライン内に磁石が設けられたトラップ（trap）（図示されず）を配設しておくと、紐状体２のウレタンゴムには黒色酸化鉄粉が含まれているため、当該異物はトラップによって確実に捕捉される。配管系統には、濾過器（図示されず）が配設されてはいるが、近年固形物の含まれた製品を製造する場合が多く、濾過器の目を大きくしなければならないなど、異物の補足が難しい場合があり、この吊り下げ用名札１を採用することにより、加工された食品中への異物の混入を防止することができる。
【図面の簡単な説明】
【００２２】
【図１】本考案の吊り下げ用名札の一例を示す平面説明図である。
【図２】本考案の吊り下げ用名札の図１におけるＡ−Ａ線断面説明図である。
【図３】本考案の吊り下げ用名札の他の実施の形態を示す図である。
【図４】本考案の吊り下げ用名札の他の実施の形態を示す図である。
【符号の説明】
【００２３】
１  吊り下げ用名札
２  紐状体
３  名札部
４  黒色酸化鉄粉
Ｃ  連結具
【図１】
0003146557.tif 000003
【図２】
0003146557.tif 000004
【図３】
0003146557.tif 000005
【図４】
0003146557.tif 000006